(57)【特許請求の範囲】
【請求項１】
機体の内部に、複数のリールが一体に組み立てられたリールブロックが組み込まれると共に、前記リールブロックの近傍の内壁面に、制御回路が搭載された制御基板部がねじ止めされて成るスロットマシンにおいて、
前記制御基板部は、前記制御回路の構成部品が実装されたプリント配線基板を保護ケース内に収納して成り、前記保護ケースは、前記プリント配線基板が固定されるベースに結合されるカバーを有しており、
前記ベースには、前記ねじ止めのため貫通孔が開設され、前記カバーには、ねじの挿通が可能な内径に形成された内孔を有する筒状体がカバーの内外へ突出するように設けられており、前記筒状体のカバー内への突出部分は前記貫通孔に連通するように前記ベースの内面に当接する位置まで延び、カバー外への突出部分は先端の開口が前記リールブロックに接近しかつリールブロックに塞がれる位置まで延出させており、前記ベースは、前記貫通孔へ挿入されたねじによりリールブロックの近傍の内壁面にねじ止めされて成るスロットマシン。
【請求項２】
前記筒状体のカバー外への突出部分は、筒状体の外周面およびカバーの上壁と一体でありかつ筒状体の軸心回りに等配列された複数の補強板により支持されている請求項１に記載されたスロットマシン。
【発明の詳細な説明】
【０００１】
【産業上の利用分野】
この発明は、パチンコホールなどの遊戯場に設置されるスロットマシンに関連し、特にこの発明は、機体の内部に組み込まれた制御基板部に対する不正行為を未然に防止するための技術に関する。
【０００２】
【従来の技術】
風俗営業機種に指定されているスロットマシンは、風俗営業に係る法律の規制範囲内でゲーム動作の制御を行う必要がある。遊戯機メーカーでは、その制御プログラムや入賞確率などの固定データを前記法律の規制に従って作成している。前記制御プログラムなどが格納されるＲＯＭのチップ部品や、制御・演算の主体であるＣＰＵのチップ部品などは、プリント配線基板に実装され、この部品実装基板を保護ケースに収納して制御基板部を構成している。
【０００３】
ゲーム動作の制御が法律の規制範囲内にあると認定された制御基板部は、封印処理が行われた後、機体の内部の所定部位、具体的には、複数のリールが一体に組み立てられたリールブロックの近傍の内壁面にねじなどで取り付け固定される。
【０００４】
【発明が解決しようとする課題】
前記のスロットマシンは、パチンコホールなどに納入されるが、納入先において、ねじを外して制御基板部を機体の内壁面から取り外し、保護ケース内のプリント配線基板に実装されたＲＯＭのチップ部品を、不正なプログラムが格納されたＲＯＭのチップ部品にすり替えるなどの不正行為が行われるおそれがある。
【０００５】
このような不正行為を摘発するためには、スロットマシン毎に、保護ケースの封印が破られていないかどうかをチェックすればよいが、その種のチェック作業は、多大な労力と時間とを要するばかりでなく、納入先が不正行為をしたという疑いがなければ、スロットマシンの内部機構のチェックを行うことは難しく、不正行為を完全に防止することは事実上不可能である。
【０００６】
この発明は、上記問題点に着目してなされたもので、機体の内部から制御基板部を取り外して部品をすり替える作業を行いにくくすることにより、不正行為の発生を未然に防止するスロットマシンを提供することを目的とする。
【０００７】
【課題を解決するための手段】
この発明に係るスロットマシンは、機体の内部に、複数のリールが一体に組み立てられたリールブロックが組み込まれると共に、前記リールブロックの近傍の内壁面に、制御回路が搭載された制御基板部がねじ止めされて成るものである。前記制御基板部は、前記制御回路の構成部品が実装されたプリント配線基板を保護ケース内に収納して成り、前記保護ケースは、前記プリント配線基板が固定されるベースに結合されるカバーを有している。前記ベースには、前記ねじ止めのため貫通孔が開設され、前記カバーには、ねじの挿通が可能な内径に形成された内孔を有する筒状体がカバーの内外へ突出するように設けられている。前記筒状体のカバー内への突出部分は前記貫通孔に連通するように前記ベースの内面に当接する位置まで延び、前記貫通孔に連通しかつねじの挿入が可能な筒状体がカバー外へ突出するように設けられるとともに、カバー外への突出部分は先端の開口が前記リールブロックに接近しかつリールブロックに塞がれる位置まで延出させている。前記ベースは、前記貫通孔へ挿入されたねじによりリールブロックの近傍の内壁面にねじ止めされている。
【０００８】
請求項２の発明では、前記筒状体のカバー外への突出部分は、筒状体の外周面およびカバーの上壁と一体でありかつ筒状体の軸心回りに等配列された複数の補強板により支持されている。
【００１０】
【作用】
この発明のスロットマシンでは、制御基板部を構成する保護ケースのカバーには、保護ケースのベースに開設されたねじ止め用の貫通孔に連通しかつねじの挿通が可能な筒状体がカバー外へ突出するように設けられると共に、カバー外への突出部分は先端の開口がリールブロックに接近しかつリールブロックに塞がれる位置まで延出させているので、組付状態の機体内には長尺のドライバを扱えるスペースがないばかりか、リールブロックに邪魔されてドライバの操作が困難である。
【００１３】
【実施例】
図１は、この発明が実施されたスロットマシンの外観を示す。
図示例のスロットマシンは、ボックス形状の機体本体部１Ａの前面開口に扉２を開閉可能に取り付けて機体１が構成される。前記扉２の前面には、リール表示部３，メダル投入口４，始動レバー５，３個の停止釦スイッチ６ａ，６ｂ，６ｃ，メダル放出口７，メダル受け皿８などが設けられる。
リール表示部３には、上，中，下，斜めの合計５本の停止ラインＬ1 〜Ｌ5 が表されており、メダルの投入枚数が１枚であれば、中央の１本の停止ラインＬ1 が、２枚であれば、上，中，下の３本の停止ラインＬ1 〜Ｌ3 が、３枚であれば、上，中，下，斜めの５本すべての停止ラインＬ1 〜Ｌ5 が、それぞれ有効化される。
【００１４】
前記機体本体部１Ａの内部には、リール表示部３の位置に合わせて、３個のリール９ａ，９ｂ，９ｃが組み込まれる。３個のリール９ａ，９ｂ，９ｃは、図２に示すように、フレーム９Ａに個別に回転可能に組み込まれてリールブロック２１を構成しており、前記機体本体部１に水平に設けられた支持板２２上にねじなどで固定される。
各リール９ａ，９ｂ，９ｃの周面には、複数のシンボルがそれぞれ描かれており、リール停止時には、各リール９ａ，９ｂ，９ｃの３駒分のシンボルが５本の停止ラインＬ1 〜Ｌ5 上に整列して並ぶ。
【００１５】
前記機体本体部１Ａの内部には、前記リールブロック２１の近傍の内壁面、図２の実施例では左側の内壁面１ａに、図３に示す制御回路１０が搭載された制御基板部２３がねじ止めされている。なお、前記制御基板部２３の止着は、前記ねじに限らず、他の止め固定具を使用することも可能である。
前記機体本体部１Ａの下部には、メダル収納用ホッパー２５を備えたメダル払出装置１７が配設される。
【００１６】
上記構成のスロットマシンにおいて、メダル投入口４よりメダルが投入されると、その投入枚数に応じた数の停止ラインが有効化される。ついで始動レバー５が操作されると、３個のリール９ａ，９ｂ，９ｃが一斉に始動する。この後、停止釦スイッチ６ａ，６ｂ，６ｃが操作される都度、対応するリール９ａ，９ｂ，９ｃが個別に停止する。全リール９ａ，９ｂ，９ｃの停止時、有効化された停止ライン上に、所定のシンボルの組み合わせが成立すると、前記のメダル払出装置１７が作動し、所定枚数のメダルがメダル放出口７よりメダル受け皿８へ放出される。
【００１７】
図３は、上記スロットマシンの電気的な構成を示す。
図中、１０は制御回路であり、制御・演算の主体であるＣＰＵ１１，セキュリティ管理のためのプログラムなどが格納されるＲＯＭ１２，データの読み書きに用いられるＲＡＭ１３，ゲームプログラムなどが格納されるゲーム制御用ＲＯＭ１５を含んでいる。
この制御回路１０の構成において、ＣＰＵ１１およびＲＯＭ１２は、ひとつのＣＰＵチップ部品１４としてプリント配線基板上に実装される。また同じプリント配線基板上には、ゲーム制御用のＲＯＭ１５やＲＡＭ１３がそれぞれ別個のチップ部品として実装される。
【００１８】
前記制御回路１０には、バス２０を介して前記始動レバー５や３個の停止釦スイッチ６ａ，６ｂ，６ｃの他に、各リール９ａ，９ｂ，９ｃを駆動するためのリール駆動部１６，前記メダル払出装置１７などが接続される。
前記ＣＰＵ１１は、始動レバー５や各停止釦スイッチ６ａ，６ｂ，６ｃからの操作信号に基づき、リール駆動部１６に制御信号を出力して各リール９ａ，９ｂ，９ｃの始動や停止動作を制御する。またＣＰＵ１１は、リール毎に、リールの駆動タイミングとゲーム制御用ＲＯＭ１５に記憶されたシンボル配列データとを用いて、有効化された停止ライン上に入賞にかかるシンボルの組み合わせが成立したかどうかを判別すると共に、入賞判別を行ったとき、メダル払出装置１７を駆動して所定枚数のメダルを放出させる、。
【００１９】
図４は前記制御基板部２３の取付構造を、また図５は制御基板部２３の組立構造を、それぞれ示す。
図示例の制御基板部２３は、前記制御回路１０の構成部品３０が実装されたプリント配線基板３１と、このプリント配線基板３１が収納された箱形の保護ケース３２とから成る。
【００２０】
前記保護ケース３２は、合成樹脂製であり、板状のベース３３と、このベース３３に着脱可能に結合された一側が開放されたカバー３４とから成る。
前記ベース３３には、両端縁に係合片３５が一体形成されており、各係合片３５を前記カバー３４の周壁内面に形成された係合凹所３６に係合させることにより、前記カバー３４とベース３３とが結合される。この保護ケース３２には、図示していないが、ベース３３とカバー３４との結合部分に封印シートが貼着される。
【００２１】
前記プリント配線基板３１は、前記ベース３３の内面に形成されたボス部３７にタッピングねじ３８をねじ込んで固定される。
この制御基板部２３は、図４に示すように、上下それぞれ２箇所がねじ２４により機体本体部１Ａの内壁面に止め固定される。前記ベース３３には、図５および図６に示すように、各ねじ止め位置に貫通孔３９がそれぞれ開設されており、各貫通孔３９へねじ２４を挿入して前記機体本体部１Ａの内壁面のねじ孔４０にねじ込むことにより、制御基板部２３が機体本体部１Ａに止着固定される。
【００２２】
前記カバー３４の上壁３４ａにはねじ操作用の開口４１が、またプリント配線基板３１には前記開口４１と同軸上の位置に透孔４２が、それぞれ形成される。カバー３４の上壁３４ａの内面には、前記ねじ操作用開口４１に連通し、かつ前記透孔４２を貫通して前記ベース３３まで延びる筒状ガイド４３が一体形成されている。前記筒状ガイド４３の内孔は、ねじ２４の挿通が可能な内径に形成される。
【００２３】
前記リールブロック２１は、前記制御基板部２３を機体本体部１Ａに止着した後に、前記支持板２２上に固定されるが、リールブロック２１の固定位置は、前記制御基板部２３の４箇所のねじ止め位置のうち、少なくとも一つのねじ止め位置であって、ねじ２４の頭部の上方を塞ぐように設定される。この実施例では、前記カバー３４の４個全てのねじ操作用の開口４１を塞ぐようにリールブロック２１が制御基板部２３と小さな距離Ｄだけ隔てて接近配置されており、制御基板部２３のねじ２４をドライバ（図示せず）で外そうとしても、リールブロック２１を取り除かない限り、このリールブロック２１が邪魔になってねじ操作が行えないようになっている。
【００２４】
図７〜図９は、この発明の実施例を示す。
図７には、制御基板部２３が取り付けられた機体本体部１Ａの内部構成が、図８には、制御基板部２３の外観が、図９には、制御基板部２３の止着状態がそれぞれ示してある。なお、これらの図において、前記実施例と同一若しくは相当部分には、同一符号を付して詳しい説明を省略する。
【００２５】
図示例の制御基板部２３は、上下それぞれ１箇所がねじ２４，２４により前記機体本体部１Ａの内壁面に止着される。
前記制御基板部２３を構成する保護ケース３２のカバー３４には、円形の開口部５０が２箇所設けられており、各開口部５０に筒状体５１を挿通してカバー３４の内外に突出させている。
【００２６】
各筒状体５１のカバー３４内への突出部分は、前記実施例の筒状ガイド４３を構成するもので、プリント配線基板３１に設けられた透孔４２を貫通し、前記ベース３３に形成されたねじ止め用の貫通孔３９に連通するように、ベース３３の内面にほぼ当接する位置まで延びている。各筒状体５１のカバー３４外への突出部分は、先端の開口５１ａがリールブロック２１に接近する距離Ｄの位置まで延びており、前記開口５１ａより筒状体５１内へねじ２４を挿入し、前記開口５１ａから挿入した長尺のドライバ（図示せず）で前記ねじ２４を機体本体部１Ａのねじ孔４０にねじ込むことにより、制御基板部２３が機体本体部１Ａに止着される。
【００２７】
各筒状体５１のカバー３４外への突出部分は、筒状体５１の外周面およびカバー３４の上壁３４ａと一体の複数の補強板５２により支持されている。これら補強板５２は、筒状体５１を補強して折損などを防止するためのもので、筒状体５１の軸心回りに等配列されている。
【００２８】
前記リールブロック２１は、前記制御基板部２３の止着後に、各筒状体５１の開口５１ａを塞ぐように制御基板部２３に接近させた状態で前記機体本体部１Ａの支持板２２上に固定される。
【００２９】
上記実施例のように、制御基板部２３のカバー３４外へ筒状体５１を突設したとき、前記ねじ２４を外す操作を行うのに長尺のドライバを用意しなければならず、しかも制御基板部２３の組付状態では、機体本体部１Ａ内に長尺のドライバを操作できるスペースはないから、前記制御基板部２３の取外しが困難である。加えて前記筒状体５１の開口５１ａを塞ぐ位置にリールブロック２１が固定してあるので、前記筒状体５１の開口５１ａからドライバを挿入しようとしても、前記リールブロック２１が邪魔になって、ドライバを挿入できない。
【００３０】
なお上記の実施例では、制御基板部２３を機体本体部１Ａの左側の内壁面１ａに止着しているが、この制御基板部２３の止着位置は、必ずしも左側の内壁面１ａである必要はなく、右側の内壁面や背部の内壁面であってもよい。
【００３１】
【発明の効果】
この発明は上記の如く、制御基板部を構成する保護ケースのカバーには、保護ケースのベースに開設されたねじ止め用の貫通孔に連通しかつねじの挿通が可能な筒状体がカバー外へ突出するように設けられると共に、カバー外への突出部分は先端の開口がリールブロックに接近しかつリールブロックに塞がれる位置まで延出させているので、スロットマシンの納入先で、制御基板部を取り外そうとしたとき、長尺のドライバを用意しなければならず、しかも機体の内部に長尺のドライバを扱うスペースがないため、制御基板部の取外しが困難である。加えて、前記筒状体の開口に挿入して行うドライバの操作は、前記リールブロックに邪魔されることになり、制御基板部の取外しが一層困難となり、部品のすり替えなどの不正行為を抑止できる。
【図面の簡単な説明】
【図１】この発明が実施されるスロットマシンの外観を示す正面図である。
【図２】スロットマシンの機体本体部の内部構成を示す正面図である。
【図３】図１のスロットマシンの電気的な構成を示すブロック図である。
【図４】制御基板部の取付構造を示す斜視図である。
【図５】図４のＡ−Ａ線に沿う断面図である。
【図６】制御基板部の筒状体を示す分解斜視図である。
【図７】  この発明の実施例に係るスロットマシンの機体本体部の内部構成を示す正面図である。
【図８】図７の実施例における制御基板部の外観を示す斜視図である。
【図９】図８のＢ−Ｂ線に沿う断面図である。
【符号の説明】
１    機体
９ａ，９ｂ，９ｃ  リール
１０  制御回路
２１  リールブロック
２３  制御基板部
２４  ねじ
３９  ねじ止め用の貫通孔
５１  筒状体
【図１】
0003822965.tif 000002
【図２】
0003822965.tif 000003
【図３】
0003822965.tif 000004
【図４】
0003822965.tif 000005
【図５】
0003822965.tif 000006
【図６】
0003822965.tif 000007
【図７】
0003822965.tif 000008
【図８】
0003822965.tif 000009
【図９】
0003822965.tif 000010